(57)【要約】【課題】本発明の課題は、フォトブックに適した撮影画像を、容易な操作で撮影することが可能な装置を提供することである。【解決手段】塗り足し領域データ、あるいは、のど領域データが必要に応じて含まれるレイアウト枠データから構成される割付ページを記憶する記憶手段と、撮影対象を撮像して、画像信号データを作成する撮影手段と、入力されたレイアウト枠選択情報を受付けて、割付ページを参照して、選択されたレイアウト枠データを読み出す枠選択手段と、画像信号データから作成した表示画像に対して、読み出されたレイアウト枠データに基づくトリミング確認枠を重畳して、表示するトリミング確認枠表示手段と、入力された撮影画像保存指示を受付けて、画像信号データを撮影画像データとして保存する撮影画像保存手段と、を備えることを特徴とする撮影装置である。【選択図】図１
2012044321.tif 000002
【特許請求の範囲】
【請求項１】
塗り足し領域データ、あるいは、のど領域データが必要に応じて含まれるレイアウト枠データから構成される割付ページを記憶する記憶手段と、
撮影対象を撮像して、画像信号データを作成する撮影手段と、
入力されたレイアウト枠選択情報を受付けて、割付ページを参照して、選択されたレイアウト枠データを読み出す枠選択手段と、
画像信号データから作成した表示画像に対して、読み出されたレイアウト枠データに基づくトリミング確認枠を重畳して、表示するトリミング確認枠表示手段と、
入力された撮影画像保存指示を受付けて、画像信号データを撮影画像データとして保存する撮影画像保存手段と、
を備えることを特徴とする撮影装置。
【請求項２】
請求項１に記載の撮影装置において、さらに、
入力された変更情報を受付けて、表示されているトリミング確認枠の表示寸法、あるいは、表示位置情報を変更するトリミング確認枠操作手段、
を備えることを特徴とする撮影装置。
【請求項３】
請求項１に記載の撮影装置において、
前記撮影画像保存手段は、
入力された撮影画像保存指示を受付けて、撮影画像データをトリミングする画像トリミング・データを作成して、作成した画像トリミング・データと撮影画像データとを関連付けて、保存する、
を備えることを特徴とする撮影装置。
【請求項４】
デジタルカメラあるいはカメラ付携帯端末装置に組込むことによって、デジタルカメラあるいはカメラ付携帯端末装置を請求項１から３のいずれか１項に記載の撮影装置として動作させるコンピュータープログラム。
【発明の詳細な説明】
【技術分野】
【０００１】
本発明は、撮影者の意図に沿ったトリミングが可能な撮影画像を生成する撮影装置、プログラムに関するものである。
本発明は、特に、フォトブックに使用する撮影画像を撮影する場合に有用である。
【背景技術】
【０００２】
デジタルカメラが普及するに伴い、デジタルカメラの撮影画像が、写真プリントに始まり、フォトフレーム、ＤＶＤなど様々な形に加工されて、鑑賞されている。
近年では、撮影画像がデジタル情報であるという特性を生かして、撮影画像からフォトブックを作り、写真集として鑑賞する機会が増えている。
以下に、デジタルカメラを用いたフォトブックの製作について説明する。
【０００３】
《Ａ．フォトブック》
フォトブックは、撮影画像をデジタル編集した編集ページを製本した冊子である。
デジタル編集では、撮影画像を割り付けるレイアウト枠から構成される割付ページに基づいて、撮影画像をトリミング処理して割り付けることで、多様な体裁の編集ページが実現出来る。
たとえば、ページの小口に接したレイアウト枠や、ページののどに接したレイアウト枠に撮影画像を割り付けることで、従来のアルバム帖にはない、写真集のような体裁の冊子を作成することが可能である。
なお、小口とは、冊子の製本において、断裁された三辺（天、地、前小口）の総称である。また、のどとは、冊子のページを綴じた辺で、前小口に対向する辺である。
【０００４】
《Ｂ．デジタルカメラ》
撮影者は、デジタルカメラでフォトブック用の撮影画像を撮影するときに、フォトブックのレイアウト枠をファインダーに表示した撮影画像に重畳させることで、撮影画像が撮影者の意図に沿った構図にデジタル編集出来るか否かを確認することが可能である。
たとえば、特許文献１では、レイアウト枠に、撮影した画像を割り付けて（トリミングして）、カメラのファインダーに表示する技術が開示されている。
【先行技術文献】
【特許文献】
【０００５】
【特許文献１】特開２００７−１０４３３６号公報（段落００２５−段落００３８、図６、７）
【発明の概要】
【発明が解決しようとする課題】
【０００６】
ところで、
フォトブック用に撮影画像を撮影する場合には、以下の点を配慮しなければならない。
（ａ）小口に接するレイアウト枠に割り付ける撮影画像を撮影するときには、小口に接する枠（辺）の外側の所定の領域（以下、塗り足し領域）に割り付ける塗り足し領域用の撮影画像を含めて、撮影しなければならない。
塗り足し領域とは、編集ページに割り付けられて、製本時に小口を断裁することで除去される領域である。塗り足し領域に撮影画像を割り付けることによって、小口の断裁位置が仮にずれても、レイアウト枠に割り付けた撮影画像の小口に余白を生じることがなく、きれいな割付体裁の編集ページ作成することが出来る。
なお、塗り足し領域の幅は、一般に、３ｍｍ幅である。
（ｂ）のどに接するレイアウト枠に割り付ける撮影画像を撮影するときには、見開きページののど近傍（以下、のど領域）が隠れて見えなくなることを考慮して撮影しなければならない。
しかしながら、特許文献１の技術では、小口に接するレイアウト枠の場合に、レイアウト枠のみを表示するので、塗り足し領域の位置や大きさなどが、撮影者には分からない。
同様に、特許文献１の技術では、のどに接するレイアウト枠の場合に、のど領域画像の位置や大きさなどが、撮影者には分からない。
また、特許文献１の技術では、表示したレイアウト枠が固定表示されているので、気に入った構図の撮影画像に対して、ファインダーのレイアウト枠の大きさを変更してトリミングが可能か否かを検討することがでないので、撮影をやり直す必要があり、撮影の操作性に難点がある。
【０００７】
本発明は以上のような点を解決するためになされたものであって、本発明の課題は、フォトブックに適した撮影画像を、容易な操作で撮影することが可能な装置、プログラムを提供することである。
【課題を解決するための手段】
【０００８】
本発明は、以下の各態様に記載の手段により、前記課題を解決する。
すなわち、本願発明の第１の発明は、
塗り足し領域データ、あるいは、のど領域データが必要に応じて含まれるレイアウト枠データから構成される割付ページを記憶する記憶手段と、
撮影対象を撮像して、画像信号データを作成する撮影手段と、
入力されたレイアウト枠選択情報を受付けて、割付ページを参照して、選択されたレイアウト枠データを読み出す枠選択手段と、
画像信号データから作成した表示画像に対して、読み出されたレイアウト枠データに基づくトリミング確認枠を重畳して、表示するトリミング確認枠表示手段と、
入力された撮影画像保存指示を受付けて、画像信号データを撮影画像データとして保存する撮影画像保存手段と、
を備えることを特徴とする撮影装置
である。
【０００９】
このように、塗り足し領域データ、あるいは、のど領域データが必要に応じて含まれるレイアウト枠データに基づいて生成したトリミング確認枠を、表示画像に重畳することによって、小口に接して割り付けられる撮影画像の塗り足し領域、あるいは、のどに接して割り付けられる撮影画像ののど領域を、確認することが出来る。
【００１０】
本願発明の第２の発明は、
第１の発明に記載の撮影装置において、さらに、
入力された変更情報を受付けて、表示されているトリミング確認枠の表示寸法、あるいは、表示位置情報を変更するトリミング確認枠操作手段、
を備えることを特徴とする撮影装置
である。
【００１１】
本願発明の第３の発明は、
第１の発明に記載の撮影装置において、
前記撮影画像保存手段は、
入力された撮影画像保存指示を受付けて、撮影画像データをトリミングする画像トリミング・データを作成して、作成した画像トリミング・データと撮影画像データとを関連付けて、保存する、
を備えることを特徴とする撮影装置である。
【００１２】
本願発明の第４の発明は、
デジタルカメラあるいはカメラ付携帯端末装置に組込むことによって、デジタルカメラあるいはカメラ付携帯端末装置を第１の発明から第３の発明のいずれか一つの発明に記載の撮影装置として動作させるコンピュータープログラム
である。
【発明の効果】
【００１３】
本願発明によれば、
（ａ）レイアウト枠が、ページの小口に接する場合には、塗り足し領域に割り付ける画像を含んだ撮影画像を撮影することが可能である。
（ｂ）レイアウト枠が、ページののどに接する場合には、のど領域の撮影画像が隠れることを配慮して、撮影することが可能である。
従って、本発明によれば、撮影者の意図に沿ったトリミングを行なえる撮影画像を確実に容易に撮影出来るという効果がある。
【図面の簡単な説明】
【００１４】
【図１】図１は、フォトブック作成システムの全体構成を説明する図である。（実施例１）
【図２】図２は、デジタルカメラの大まかな操作・処理手順を説明する図である。
【図３】図３は、フォトブックの割付ページの例である。
【図４】図４は、レイアウト枠の選択画面である。
【図５】図５は、足し領域を加えたトリミング確認枠を説明する図である。
【図６】図６は、トリミング確認枠の操作を説明する図である。
【図７】図７は、のど領域を加えたトリミング確認枠を説明する図である。
【図８】図８は、デジタルカメラの詳細構成図である。
【図９】図９は、割付データを説明する図である。
【図１０】図１０は、デジタルカメラの操作面を説明する図である。
【発明を実施するための形態】
【００１５】
以下、図面等を参照しながら、本発明の実施の形態について、更に詳しく説明する。
【実施例１】
【００１６】
図１は、本発明の実施の形態によるフォトブック作成システム１の概要を説明する図である。
フォトブック作成システム１は、撮影装置（デジタルカメラ）１００と、記憶媒体（メモリーカード）２００と、印刷装置（カラープリンター）３００と、製本装置５００と、から構成される。
【００１７】
デジタルカメラ１００は、既存のデジタルカメラに、後述する専用プログラムを搭載したものである。
デジタルカメラ１００は、着脱可能なメモリーカード２００を備える。メモリーカード２００は、半導体記憶素子である。メモリーカード２００は、撮影画像データと、撮影画像のトリミング領域を指定する画像トリミング・データを記憶する。
あるいは、デジタルカメラ１００は、内蔵メモリーを備え、この内蔵メモリーに撮影画像データと、撮影画像のトリミング領域を指定する画像トリミング・データを記憶させてもよい。
なお、撮影装置は、カメラ付き携帯端末装置でも良い。
【００１８】
カラープリンター３００は、昇華型プリンター、あるいは、インクジェットプリンターである。
【００１９】
製本装置５００は、綴じ装置と、断裁装置を備える加工機械である。
製本装置５００の綴じ装置は、編集ページ４００を所定の辺にて綴じる。断裁装置は、綴じた編集ページ４００を所定の位置にて断裁する。
【００２０】
図２は、フォトブック作成システム１の大まかな作業手順を説明する。
【００２１】
（１）撮影者は、デジタルカメラ１００に表示させたフォトブックの割付ページの中から、レイアウト枠を選ぶ。
【００２２】
（２）デジタルカメラ１００は、選ばれたレイアウト枠からトリミング確認枠を生成して、撮影対象を撮像して生成した表示画像（スルー画像、ライブ画像）に重畳させて、ファインダーに表示する。
ただし、選ばれたレイアウト枠がページの小口などに接する場合には、レイアウト枠に塗り足し領域を加えたトリミング確認枠を生成する。
あるいは、選ばれたレイアウト枠が見開きページに割り付けられる場合には、レイアウト枠にのど領域を加えたトリミング確認枠を生成する。
【００２３】
（３）撮影者は、ファインダーの表示画像を見ながら、カメラの撮影条件（レンズのズーム、カメラの撮影角度など）を変更して、撮影対象の大きさ・画角などを調整する。また、撮影者は、デジタルカメラ１００のトリミング確認枠の大きさや位置を調整して、表示画像に重畳させて、撮影画像が意図する構図でトリミングが可能あることを目視にて確認する。撮影者は、確認した撮影画像をデジタルカメラ１００のメモリーカード２００に保存する。
このとき、トリミング確認枠を用いて、撮影画像のトリミング領域を指定する画像トリミング・データを作成して、メモリーカード２００に保存してもよい。
【００２４】
（４）カラープリンター３００は、撮影者が、メモリーカード２００に記憶する撮影画像データに対して、デジタル編集にて作成した画像トリミング・データ（あるいは、メモリーカード２００に記憶する画像トリミング・データ）と、記憶する割付ページデータとを適用して、割り付けた編集ページ４００を印刷する。製本装置５００は、印刷した編集ページ４００を綴じ・断裁して、製本したフォトブック７００を作成する。なお、塗り足し領域の画像は、断裁によって、フォトブック７００から切り離される。のど領域の画像は、製本により、隠れて見えなくなる。
【００２５】
図３を用いて、フォトブックの割付ページ６００を説明する。
図３は、割付ページ６００の例である。
見開きの割付ページ６００には、撮影画像をトリミングして割り付けるレイアウト枠６１０／６２０／６３０が配置されている。見開き割付ページの上辺６０５が天で、下辺６０７が地で、見開き割付ページが互いに接する辺６０６がのどで、のどに対向する辺６０８が前小口である。
【００２６】
レイアウト枠の種類には、周囲を余白で囲まれたレイアウト枠６１０と、小口に接したレイアウト枠６２０と、のどに接したレイアウト枠６３０の３種類がある。それぞれのレイアウト枠は、内側に飾り６４４を付けてもよい。
以下に、各種のレイアウト枠について、説明する。
【００２７】
図３の（ａ）には、周囲を余白で囲まれたレイアウト枠６１０が配置された割付ページ６００が例示されている。このレイアウト枠６１０は、いずれの辺も、小口あるいはのどに接していない。
【００２８】
図３の（ｂ）には、小口に接したレイアウト枠６２０が配置された割付ページ６００が例示されている。例示されたレイアウト枠６２０は、前小口６０８と天６０５に接して、のど６０６と地６０７に接していない。
【００２９】
図３の（ｃ）には、のどに接したレイアウト枠６３０が例示されている。
例示された、のどに接したレイアウト枠６３０は、割付ページ６００ののど６０６と、前小口６０８と、天６０５に接して、地６０７に接していない。
なお、この左右のレイアウト枠６３０が、実は、１つのレイアウト枠であって、見開き状態の割付ページ（以下、見開き割付ページ、見開きページ）に跨って配置された、１つのレイアウト枠であってもよい。すなわち、見開き割付ページに跨って配置されたレイアウト枠は、のどに接したレイアウト枠である。
【００３０】
図３の（ｄ）には、内側に飾り６４４のついたレイアウト枠が例示されている。
このレイアウト枠に割り付ける撮影画像は、内側の飾り６４４と重なる撮影画像が隠れて見えなくなることを考慮して撮影する必要がある。
【００３１】
次に、図４から図７までを用いて、デジタルカメラのファインダー画面が遷移する例を説明する。
【００３２】
図４は、レイアウト枠を選択する画面１０５の説明図である。
図４には、小口に接するレイアウト枠が選択されたレイアウト枠選択画面が例示されている。選択されたレイアウト枠は、見開き割付ページの右ページに配置されたレイアウト枠である。カーソル１０４１により、右ページのレイアウト枠が特定されている。
なお、ファインダー１０５には、見開き割付ページ６００と、操作ボタン（次ボタン１０４２と、前ボタン１０４３と、先頭ボタン１０４４と、最後ボタン１０４５）と、カーソル１０４１と、が表示されている。
割付ページ６００は、フォトブック７００の割付ページを見開きで表示したものである。
次ボタン１０４２は、次の見開き割付ページの表示を指示するボタンである。
前ボタン１０４３は、前の見開き割付ページの表示を指示するボタンである。
先頭ボタン１０４４は、最初の見開き割付ページの表示を指示するボタンである。
最後ボタン１０４５は、最後の見開き割付ページの表示を指示するボタンである。
なお、先頭ボタン１０４４と最後ボタン１０４５とは、なくても良い。
カーソル１０４１は、割付ページ、あるいは、操作ボタンを選択するためのアイコンであって、撮影者の操作により移動する。
なお、ファインダー画面に、タッチパネル式を用いても良い。その場合には、指先にて、割付ページ、あるいは、操作ボタンを選択すればよい。
【００３３】
図５と、図６は、図４にて選択された小口に接するレイアウト枠６２０を、ファインダーに表示させたトリミング確認枠８２０を説明する図である。
【００３４】
図５は、小口に接するレイアウト枠をファインダー画面１０５に表示させたトリミング確認枠８２０の説明図である。
トリミング確認枠８２５は、小口に接するレイアウト枠６２０に相当する表示枠８２０と、塗り足し領域に相当し、レイアウト枠には割り付けられない割付不可領域８２１と、から構成される。
【００３５】
表示枠８２０に重畳された表示画像は、レイアウト枠６２０に割り付けられる撮影画像（すなわち、トリミング撮影画像）に相当する。
【００３６】
割付不可領域８２１は、小口（たとえば、上辺と右辺）に接するレイアウト枠の辺に相当する表示枠の辺の外側に隣接して表示される。
割付不可領域８２１に重畳された表示画像は、レイアウト枠の小口に接する塗り足し領域に割り付けられて、製本時に小口を断裁することで除去される撮影画像に相当する。
【００３７】
次に、トリミング確認枠８２５の操作例を説明する。
【００３８】
トリミング確認枠の操作には、トリミング確認枠を移動操作と、表示寸法を変更するサイズ変更操作がある。
トリミング確認枠８２５は、ファインダーを食み出さない範囲で自由に移動する操作（移動操作）が可能である。
また、トリミング確認枠８２５は、ファインダーを食み出さない範囲で自由に拡大縮小する操作（サイズ変更操作）が可能である。
なお、ここで言うファインダーとは、表示画像の表示領域である。（以下の説明でも同様）
【００３９】
次に、トリミング確認枠の操作例を説明する。
図６の（ａ）は、トリミング確認枠をファインダーの境界に移動操作する例である。
例示のトリミング確認枠８２５は、割付不可領域８２１がファインダーの境界に接して、表示枠８２０がファインダーの境界から、割付不可領域８２１の幅だけ離れた状態である。この時には、表示枠８２０は、これ以上、ファインダーの境界に近づけることは出来ない。このファインダー境界に接する割付不可領域８２１に重畳される表示画像は、表示枠８２０に重畳できないので、この表示画像に相当する撮影画像はレイアウト枠６２０には割り付けることが出来ないこと、従って、カメラの撮影条件を変更して、撮影対象の大きさ・画角などを変えない限り、たとえば、人物８５１／８５２は欠けてトリミングされること（レイアウト枠に割付できない割付不可部分があること）を示している。
【００４０】
図６の（ｂ）は、トリミング確認枠８２５を最大表示するサイズ変更操作する例である。
例示したトリミング確認枠８２５は、ファインダー画面１０５に、最大寸法で表示させた状態である。この時には、最大表示したトリミング確認枠８２５は、トリミング確認枠８２５の向かい合う二辺（ファインダー境界に接する割付不可領域８２１の一辺８２１１とその向かい合う表示枠８２０１の一辺）がファインダー境界し、かつ、他の向かい合う二辺（ファインダー境界に接しない割付不可領域８２１２の一辺とその向かい合う表示枠８２０２の一辺）は、ファインダー内に収まる。
最大表示したトリミング確認枠８２５は、接したファインダー境界に沿って平行移動することが出来る。
【００４１】
図５と図６で説明した通り、撮影者は、小口に接するレイアウト枠に割り付ける撮影画像を撮影する場合に、割付不可領域８２１を備えるトリミング確認枠８２５を用いることによって、レイアウト枠６２０に割付出来る撮影画像の範囲を確認することが出来る。
従って、ページの小口に接するレイアウト枠１９１２に、意図した通りのトリミングが出来る撮影画像を、確実に撮影することが可能である。あるいは、塗り足し領域の不足した撮影画像を誤って撮影することを防止することが可能である。
【００４２】
図７を用いて、のどに接したレイアウト枠をファインダーに表示させたトリミング確認枠８３５の説明図である。のどに接したレイアウト枠の一例として、見開きページに跨って配置されたレイアウト枠を用いる。
図７は、見開きページに跨って配置されたレイアウト枠をファインダーに表示させたトリミング確認枠の例である。
例示したトリミング確認枠８３５は、見開きページに跨って配置されたレイアウト枠６３０に相当する表示枠８３０と、のど領域に相当する綴じ領域８３１と、塗り足し領域に相当する割付不可領域８２１が加えられて構成される。
表示する綴じ領域８３１の幅（のどからの距離）は、適宜、設定すればよい。
図６と同様に、例示したトリミング確認枠８３５の割付不可領域８２１は、レイアウト枠６３０が小口（上辺と、見開きの左右の辺）に接する辺に相当する表示枠の辺の外側に接して表示される。
【００４３】
このように、撮影者は、見開きページに跨って配置されたレイアウト枠に割り付ける撮影画像を撮影する場合に、綴じ領域を備えたトリミング確認枠を用いることによって、綴じ領域８３１と重畳する表示画像部に相当する撮影画像が、製本により隠れて見えなくなる撮影画像であることを確認することが出来る。従って、綴じ領域８３１に重要な撮影対象（たとえば、人物８５５／８５６）が重ならない構図で撮影することが可能となる。
【００４４】
以上、図５から図７を用いて、小口に接するレイアウト枠、あるいは、のどに接したレイアウト枠をファインダー画面１０５に表示させたトリミング確認枠の操作例を説明した。
【００４５】
なお、周囲を余白で囲まれたレイアウト枠６１０をファインダーに表示させたトリミング確認枠は、小口やのどに接しないので、割付不可領域８２１、あるいは、綴じ領域８３１を加えない。
【００４６】
周囲を余白で囲まれたレイアウト枠６１０をファインダーに表示させたトリミング確認枠の場合にも、サイズ変更、あるいは、枠の移動などの操作を行なって、表示画像と重畳させることによって、撮影画像に対して、意図したトリミングが出来るか否かを容易に確認し判断することが可能である。
【００４７】
図９は、割付ページデータ１９１の説明図である。
図９の（ａ）は、割付ページデータ１９１の形式を説明する図である。
割付ページデータ１９１は、周囲を余白で囲まれたレイアウト枠データ１９１１、あるいは、小口に接したレイアウト枠データ１９１２、あるいは、見開きページに跨って配置され割り付けられるレイアウト枠データ１９１３から構成される。
【００４８】
周囲を余白で囲まれたレイアウト枠データ１９１１は、枠データ１９１１１から構成される。枠データ１９１１１は、枠の左上と右下の座標値である。
なお、座標空間は、見開きページで、左上が原点である。
【００４９】
小口に接したレイアウト枠データ１９１２は、枠データ１９１２１１塗り足し領域データ１９１２１を関連付けて構成されるデータである。
レイアウト枠データ１９１２１は、レイアウト枠データ１９１１１と同じである。
塗り足し領域データ１９１２２は、塗り足し領域が接するレイアウト枠１９１２の辺を特定する文字列情報である。
【００５０】
のどに接したレイアウト枠データ１９１３は、枠データ１９１３１に、のど領域データ１９１３２と、必要に応じて、塗り足し領域データ１９１３３と、を関連付けて構成されるデータである。
枠データ１９１３１は、枠データ１９１１と同じである。
のど領域データ１９１３２は、のど領域の幅を表す数値（単位は任意）である。
塗り足し領域データ１９１３３は、小口に接したレイアウト枠１９１２の塗り足し領域データ１９１２２と同じである。
【００５１】
図９の（ｂ）は、割付ページデータ１９１ｉの例である。
【００５２】
たとえば、割付ページ１９１ｉには、周囲を余白で囲まれたレイアウト枠データ１９１１ｉが例示されている。
例示のレイアウト枠データ１９１１ｉの意味は、枠寸法が縦７０ｍｍ、横７０ｍｍであるレイアウト枠が、割付ページの左上座標値「（100、80）」と右下座標値「(170、150)」に配置されて、周囲が余白で囲まれていることを示している。
【００５３】
また、割付ページ１９１ｉには、小口に接したレイアウト枠データ１９１２ｉが例示されている。
例示のレイアウト枠データ１９１２ｉの意味は、枠寸法が、縦１４０ｍｍ、横１１０ｍｍであるレイアウト枠が、割付ページの左上座標値「（0、0）」と右下座標値「(110、140)」に配置（左角隅に配置）されて、レイアウト枠１９１２ｉが接する小口が「天」と「左辺」であることを示している。
【００５４】
また、割付ページ１９１ｉには、見開きページに跨って配置されたレイアウト枠データ１９１３ｉが例示されている。
例示のレイアウト枠データ１９１３ｉの意味は、枠寸法が、縦１３０ｍｍ、横２９７ｍｍで、見開き座標空間の左上座標値「（0、0）」、右下座標値「(297、130)」 に配置されたレイアウト枠であることを示している。また、このレイアウト枠１９１３ｉが接する小口が、「天」と「左辺」「右」であることを示している。また、のど領域の幅が「４ｍｍ」に設定されていることを示している。
【００５５】
図８は、デジタルカメラ１００の詳細な構成図である。
デジタルカメラ１００は、ＣＰＵ１０１と、撮像部１０２と、レンズ制御部１０３と、入力部１０４と、表示部（モニター）１０５と、メモリーカードＩ／Ｆ１０６と、レンズ１０７と、電源部１０８と、記憶部１０９と、メモリーカード２００と、専用プログラムとを備える。
撮像部１０２と、レンズ制御部１０３と、入力部１０４と、表示部１０５と、メモリーカードＩ／Ｆ１０６と、記憶部１０９などは、ＢＵＳ１９９で接続される。
【００５６】
ＣＰＵ１０１は、中央演算装置である。
撮像部１０２は、撮像素子である。
レンズ制御部１０３は、モーター駆動回路である。
入力部１０４は、操作ボタン、あるいは、シャッターボタン、ズームボタンなどで構成される。
表示部１０５は、液晶表示装置あるいは有機ＥＬ表示装置で構成されるファインダーである。
メモリーカードＩ／Ｆ１０６は、カード・アダプターである。
レンズ１０７は、光学レンズである。
電源部１０８は、二次電池である。
【００５７】
メモリーカード２００は、半導体メモリーである。
メモリーカード２００は、撮影画像データ１９３と、画像トリミング・データ１９４と、を関連付けて記憶する。
撮影画像データ１９３は、ビットマップデータである。
画像トリミング・データ１９４は、撮影画像をトリミングする枠の座標値(たとえば、左上と右下の座標値)である。
【００５８】
記憶部１０９は、半導体メモリーである。
記憶部１０９は、割付ページ格納領域１０９１と、撮影画像一次格納領域１０９２と、専用プログラムとを記憶する。
割付ページ格納領域１０９１は、割付ページデータ１９１を格納する。
割付ページデータ１９１は、少なくともレイアウト枠データを含むデータであって、レイアウト枠データには、塗り足し領域データ、あるいは、のど領域データが関連付けられる場合があるデータである。
画像信号格納領域１０９２は、画像信号データ１９２を保持する。
【００５９】
図１０を用いて、デジタルカメラ１００の背面外観を説明する。
カメラの背面には、ファインダー１０５と、ズームボタン１０４１と、操作ボタン（十字キースイッチ）１０４２と、シャッターボタン１０４３とが配置される。ズームボタン１０４１は、レンズのズーム操作情報の入力を受付けて、レンズ制御部１０３を介して、レンズをズーム操作する。操作ボタン１０４２と、シャッターボタン１０４３の説明は、後述する。
【００６０】
図８に戻って、説明を続ける。
【００６１】
このほかに、撮影手段１１０と、枠選択手段１２０と、トリミング確認枠表示手段１４０と、トリミング確認枠操作手段１５０と、撮影画像保存手段１７０とを備える。これらの各手段は、それぞれの専用プログラムによって実現され、専用プログラムがＣＰＵ１０１に解釈・実行されることによって機能する。
【００６２】
デジタルカメラ１００の撮影動作は、まず、撮影対象像が、レンズ１０７を介して撮像素子１０２に入射する。撮像素子１０２は、撮影対象像の明暗に応じて、大きさの異なる電気信号を出力する。電気信号は、後述する撮影手段１１０によって、Ａ／Ｄ変換されて、デジタル信号に変換されて、画像信号データ１９２が作成される。
【００６３】
撮影手段１１０は、撮像部１０２が出力する電気信号を受付けて、画像信号データ１９２を作成して、画像信号格納領域１０９２に保持する。
【００６４】
枠選択手段１２０は、ファインダーに表示された割付ページを用いて、操作ボタン１０４２より入力された選択情報にて指定されたレイアウト枠を特定して、記憶された割付データ１９１のレイアウト枠データを参照して、特定したレイアウト枠のレイアウト枠データを読み出す。
【００６５】
トリミング確認枠表示手段１４０は、
枠データを用いて表示枠を作成する機能と、
レイアウト枠データが塗り足し領域データを含む場合にのみ、塗り足し領域データを用いて、割付不可領域を作成する機能と、
レイアウト枠データがのど領域データを含む場合にのみ、のど領域データを用いて、表示寸法情報と表示位置情報を含む綴じ領域を作成する機能と、
画像信号格納領域１０９２に格納に画像信号データ１９２からファインダーの表示画素数で構成される表示画像データを生成する機能と、
表示枠、あるいは、割付不可領域、あるいは、綴じ領域から構成されるトリミング確認枠を、表示画像に重畳して、表示する機能と、
とを備える。
【００６６】
トリミング確認枠操作手段１５０は、
操作ボタン１０４２により入力されたサイズ変更情報を受付けて、表示されているトリミング確認枠に対して、変更情報を適用して、トリミング確認枠の表示寸法を変更するサイズ変更機能と、
操作ボタン１０４２より入力された移動情報を受付けて、表示されているトリミング確認枠に移動情報を適用して、表示位置を変更する枠移動手段機能と、
画像信号格納領域１０９２に保持された画像信号データ１９２から、ファインダーの表示画素数で構成される表示画像データを生成する機能と、
表示寸法を変更したトリミング確認枠、あるいは、表示位置を変更したトリミング確認枠に、表示画像を重畳して、表示する機能と、
を備える。
【００６７】
撮影画像保存手段１７０は、シャッターボタン１０４３より入力された撮影画像保存指示を受付けて、撮影画像一次格納領域１０９２に格納に格納された画像信号データ１９２を撮影画像データ１９３として、メモリーカード２００に保存する。
たとえば、撮影画像保存手段１７０は、画像信号データ１９２を、ＲＡＷ形式の撮影画像データ１９３として保存する。
【００６８】
あるいは、撮影画像保存手段１７０は、画像信号データ１９２から、撮影画像データ１９３を生成して、この撮影画像データ１９３をメモリーカード２００に保存する。
たとえば、撮影画像保存手段１７０は、画像信号データ１９２を、ＪＰＥＧ形式のデータに圧縮して、ＪＰＥＧ形式の撮影画像データ１９３を生成して、保存する。
【００６９】
このとき、撮影画像保存手段１７０は、トリミングする画像トリミング・データ１９４（たとえば、撮影画像の左上を原点とした、表示枠の左上座標値と右下座標値）を作成して、作成した画像トリミング・データ１９４（たとえば、撮影画像の左上を原点とした、表示枠の左上座標値と右下座標値）と、撮影画像データ１９３を関連付けして、メモリーカード２００に保存してもよい。あるいは、レイアウト枠データ１９４と、撮影画像データ１９３を関連付けして、メモリーカード２００に保存してもよい。あるいは、画像トリミング・データ１９４と、レイアウト枠データ１９４と、撮影画像データ１９３を関連付けして、メモリーカード２００に保存してもよい。
あるいは、撮影画像データ１９３に画像トリミング・データ１９４を適用して、トリミング画像を生成して、これを保存用の撮像画像として、メモリーカード２００に保存してもよい。
【００７０】
以上、説明したように、
（ａ）レイアウト枠が、ページの前小口、天、地、のいずれか一辺に接する場合には、レイアウト枠に接する塗り足し領域に相当する割付不可領域を、表示画像に重畳させて、ファインダーに表示することが可能である。
（ｂ）レイアウト枠がページののどに接する場合（たとえば、レイアウト枠が見開きページに跨って割り付けられる場合）には、のど領域に相当する綴じ領域を、表示画像に重畳させて、ファインダーに表示することが可能である。
従って、本発明によれば、撮影者の意図に沿ったトリミングが出来る撮影画像を、確実容易に撮影することが可能であるという従来技術にない効果を奏する。
【符号の説明】
【００７１】
１  フォトブック作成システム
１００  撮影装置、デジタルカメラ
１０５  ファインダー
１１０  撮影手段
１２０  枠選択手段
１４０  トリミング確認枠表示手段
１５０  トリミング確認枠操作手段
１７０  撮影画像保存手段
１９１  割付ページ
２００  メモリーカード記憶媒体
３００  印刷装置、カラープリンター
４００  編集ページ
５００  製本装置
６００  割付ページ
６１０  周囲が余白のレイアウト枠
６２０  小口に接するレイアウト枠
６３０  見開きページに跨るレイアウト枠
６４４  飾り付き
６０５  天
６０６  のど
６０７  地
６０８  前小口
７００  フォトブック
８１０  表示枠
８２０  表示枠
８２１  割付不可領域
８３０  表示枠
８３１  綴じ領域
【図１】
2012044321.tif 000003
【図２】
2012044321.tif 000004
【図３】
2012044321.tif 000005
【図４】
2012044321.tif 000006
【図５】
2012044321.tif 000007
【図６】
2012044321.tif 000008
【図７】
2012044321.tif 000009
【図８】
2012044321.tif 000010
【図９】
2012044321.tif 000011
【図１０】
2012044321.tif 000012